(57)【特許請求の範囲】
【請求項１】
固定接点を備えた絶縁樹脂製のケースと、固定接点上を弾接摺動する弾性金属製の接触片と、下面に接触片を装着し固定接点上を摺動する摺動体と、摺動体を摺動可能に覆うカバーと、上面が操作部となり中間部に摺動体の上面または側面との係合部を設けると共に下端に設けた支点部がケースまたはカバーに設けた支持部に回動およびこの回動中心軸と直交する方向の上下動可能に保持された操作体と、中間部がケースまたはカバーのばね保持部に保持され両端部が操作体の下面の左右に弾接して操作体を上方に付勢すると同時にケースまたはカバーのばね係止部の下面にも弾接したばねと、操作体の下方に配置され操作体の上下動によって電気的接離を行うケース上に構成されたプッシュスイッチ部からなるプッシュ機能付回動操作型電子部品。
【請求項２】
操作体の支点部およびケースまたはカバーの支持部を二ヶ所設け、これらの上下方向の間隙を一方は小さく他方は大きなものにすると共に、大きな間隙側の支点部近傍の操作体の下面にプッシュスイッチ部を操作する押圧部を設けた請求項１に記載のプッシュ機能付回動操作型電子部品。
【請求項３】
ケースまたはカバーのばね保持部に、ばねの中間部と係合し脱落を防止する突部を設けた請求項１または２に記載のプッシュ機能付回動操作型電子部品。
【請求項４】
ばねに代えて、カバーを弾性金属薄板製とし舌片状の弾性部を一体に形成すると共に、この弾性部を操作体下面およびケースまたはカバーのばね係止部にも弾接させた請求項１または２に記載のプッシュ機能付回動操作型電子部品。
【請求項５】
ケース上に構成されたプッシュスイッチ部に代えて、操作体の下方に単体のプッシュスイッチを配置した請求項１〜４のいずれか一つに記載のプッシュ機能付回動操作型電子部品。
【発明の詳細な説明】
【０００１】
【発明の属する技術分野】
本発明は主として携帯電話やＰＨＳ、ページャ、携帯オーディオ機器などの各種電子機器に使用される操作部の回動操作とプッシュ操作により駆動するプッシュ機能付回動操作型電子部品に関するものである。
【０００２】
【従来の技術】
近年、携帯電話やＰＨＳなどの通信用携帯端末機器はその利便性から急速に需要が拡大しており、機器の薄型化や軽量化および機能増加にともなう操作性の向上が求められている中、これらに用いられる操作スイッチや可変抵抗器においても薄型化および多機能化のニーズが高まっており、回動操作やスライド操作とプッシュ操作を複合した多方向操作型のものが多く用いられるようになってきた。
【０００３】
このような多方向操作型の従来のプッシュ機能付回動操作型電子部品について、スイッチを例にして図１２〜図１６を用いて説明する。
【０００４】
図１２は従来のプッシュ機能付回動操作型スイッチの断面側面図、図１３は図１２のＸ−Ｘ線における断面正面図であり、同図において、１は上面開口の箱型の絶縁樹脂製のケース、２Ａ，２Ｂ，２Ｃ及び２Ｄ，２Ｅはケース１の内底面に植設された金属製の固定接点、３は弾性金属薄板製の接触片、４は上面に凹状の係合部４Ａを有しケース１内に摺動可能に収納された絶縁樹脂製の摺動体、５は外周が固定接点２Ｅ上に載置された弾性金属薄板製のドーム状可動接点、６は下面に粘着材を塗布した絶縁フィルムで、接触片３は中央部が摺動体４の下面に装着保持されやや撓んだ状態で両端の接点部がケース１の内底面に弾接し、絶縁フィルム６はドーム状可動接点５の上面を覆い下面の粘着材によってケース１に接着されている。
【０００５】
そして、７は両側面に上下方向に長寸となった支持穴７Ａと７Ｂを有しケース１の上面を覆うカバー、８は上面に操作部８Ａを有する絶縁樹脂製の操作体で、操作体８の中間部両側面に設けられた丸棒状の支点部８Ｂと８Ｃがカバー７の支持穴７Ａと７Ｂに回動およびこの回動方向と直交する方向にも上下動可能に挿入されると共に、下端に突出して設けられた円形状の係合突部８Ｄがカバー７の開口部から突出した摺動体４の係合部４Ａに僅かな隙間を保って挿入され、ドーム状可動接点５上方には押圧部８Ｅが設けられている。
【０００６】
また、９は中央のコイル部９Ａの両端にアーム部９Ｂと９Ｃが設けられた弾性金属線製のばねで、コイル部９Ａがケース１のばね保持部１Ａに挿入され、アーム部９Ｂと９Ｃはやや撓んだ状態で、操作体８下面の左右のばね当接部８Ｆと８Ｇに弾接して操作体８を上方へ付勢すると同時に、カバー７のばね係止部７Ｃと７Ｄ下面にも弾接している。
【０００７】
以上の構成において、操作体８上面の操作部８Ａを、図１２の中立位置から図１４に示すように左方向へ押して回動操作すると、下端の係合突部８Ｄが中間部の支点部８Ｂと８Ｃを支点として操作部８Ａとは逆の右方向へ回動し、係合部４Ａを係合突部８Ｄに押された摺動体４も右方向へ摺動するため、摺動体４の下面に装着された接触片３両端の接点部がケース１内底面上を摺動し、固定接点２Ａと２Ｃに弾接することで、接触片３を介した固定接点２Ａと２Ｃとの電気的接続が行われる。
【０００８】
この時、操作体８の回動に伴って、ばね９のアーム部９Ｃは操作体８のばね当接部８Ｇから離れてカバー７のばね係止部７Ｄ下面にのみ弾接し、一方、アーム部９Ｂはカバー７のばね係止部７Ｃから離れ、操作体８のばね当接部８Ｆに押圧されて撓められていく。
【０００９】
そして、操作部８Ａへの操作力を解除すると、操作体８のばね当接部８Ｆにより撓められたばね９のアーム部９Ｂの弾性復帰力によって、ばね当接部８Ｆが押し戻されて操作体８が回動し、係合突部８Ｄに係合した摺動体４が左方向へ摺動して、摺動体４下面に装着された接触片３両端の接点部が固定接点２Ａと２Ｃから離れ、操作体８が図１２の中立位置に復帰する。
【００１０】
これとは逆に、操作部８Ａを図１２の中立位置から右方向へ回動した場合には、摺動体４が左方向へ摺動して接触片３を介した固定接点２Ａと２Ｂとの電気的接続が行われ、操作部８Ａへの操作力を解除すると、操作体８のばね当接部８Ｇにより撓められたばね９のアーム部９Ｃの弾性復帰力によって、操作体８が図１２の中立位置に復帰する。
【００１１】
また、操作体８上面の操作部８Ａを、図１３の中立位置から回動方向と直交する下方向へプッシュ操作すると、図１５（ａ）に示すように、操作体８中間部の支点部８Ｂと８Ｃがカバー７の支持穴７Ａと７Ｂ内を下方に移動し、下面の押圧部８Ｅが絶縁フィルム６を介してドーム状可動接点５の中央頂点部を押圧してドーム状可動接点５を反転させ、ドーム状可動接点５の中央部裏面の固定接点２Ｄに接触することによって、ドーム状可動接点５を介した固定接点２Ｄと２Ｅとの電気的接続が行われる。
【００１２】
この時、操作体８の下降に伴って、図１５（ｂ）に示すように、ばね９のアーム部９Ｂと９Ｃはカバー７下面のばね係止部７Ｃと７Ｄから離れ、操作体８のばね当接部８Ｆと８Ｇに押圧されて撓められていく。
【００１３】
そして、操作部８Ａのプッシュ方向への操作力を解除すると、操作体８のばね当接部８Ｆと８Ｇにより撓められたばね９のアーム部９Ｂと９Ｃの弾性復帰力によって、ばね当接部８Ｆと８Ｇが押し戻されて操作体８が上方に移動し、下面の押圧部８Ｅもドーム状可動接点５から離れるため、ドーム状可動接点５が反転復帰して中央部裏面が固定接点２Ｄから離れ固定接点２Ｄと２Ｅとの間がＯＦＦとなり、操作体８が図１２および図１３の中立位置に復帰するように構成されている。
【００１４】
また、図１６はこのプッシュ機能付回動操作型電子部品を用いた通信用携帯端末機器の斜視図であり、同図において、外装ケース１５の表面の上方にはＬＣＤ等の表示部１６が、下方にはプッシュ操作部１７が配置され、中央部には外装ケース１５の上下方向に回動しかつこの回動方向と直交する裏面方向へプッシュ操作可能なプッシュ機能付回動操作型スイッチ１８が配置されており、このプッシュ機能付回動操作型スイッチ１８を回動操作することによって、表示部１６に表示された氏名や電話番号等の情報をスクロールして検索した後、プッシュ操作することで選択し通話等を行うように構成されている。
【００１５】
【発明が解決しようとする課題】
しかしながら上記従来のプッシュ機能付回動操作型電子部品においては、操作体８の回動軸となる支点部８Ｂ，８Ｃを中心として、上端に操作部８Ａ、下端に摺動体４との係合突部８Ｄと各々反対位置に設けられているため、操作部８Ａの回動量を大きくしたり、確実なスイッチング動作を得るために摺動体４の摺動量を大きくしようとすると、支点部８Ｂ，８Ｃと操作部８Ａ或いは係合突部８Ｄとの間の寸法を大きくしなければならず、操作体８が長くなってスイッチ全体の高さが大きなものとなり、使用される機器の薄型化というニーズに対応することが困難になるという課題があった。
【００１６】
本発明はこのような従来の課題を解決するものであり、薄型で回動操作量の大きなプッシュ機能付回動操作型電子部品を提供することを目的とする。
【００１７】
【課題を解決するための手段】
上記課題を解決するために本発明のプッシュ機能付回動操作型電子部品は、上面が操作部となった操作体の中間部に摺動体との係合部を設けると共に、下端に設けた支点部をケースまたはカバーに設けた支持部に回動およびこの回動中心軸と直交する方向の上下動可能に保持し、操作体の支点部に対して操作部と係合部を同方向に設けるように構成したものである。
【００１８】
これにより、薄型で回動操作量の大きなプッシュ機能付回動操作型電子部品を得ることができる。
【００１９】
【発明の実施の形態】
本発明の請求項１に記載の発明は、固定接点を備えた絶縁樹脂製のケースと、固定接点上を弾接摺動する弾性金属製の接触片と、下面に接触片を装着し固定接点上を摺動する摺動体と、摺動体を摺動可能に覆うカバーと、上面が操作部となり中間部に摺動体の上面または側面との係合部を設けると共に下端に設けた支点部がケースまたはカバーに設けた支持部に回動およびこの回動中心軸と直交する方向の上下動可能に保持された操作体と、中間部がケースまたはカバーのばね保持部に保持され、両端部が操作体の下面の左右に弾接して操作体を上方に付勢すると同時にケースまたはカバーのばね係止部の下面にも弾接したばねと、操作体の下方に配置され操作体の上下動によって電気的接離を行うケース上に構成されたプッシュスイッチ部からなるプッシュ機能付回動操作型電子部品としたものであり、操作体の下端の支点部に対し中間部に摺動体との係合部、上面に操作部と各々を同方向に設け、下端の支点部を支点として操作体を回動させることによって、係合部に対し操作部が常に大きな回動量となるように構成されているため、操作体の高さを大きくすることなく、薄型で操作部の回動操作量の大きなプッシュ機能付回動操作型電子部品を得ることができるという作用を有する。
【００２０】
請求項２に記載の発明は、請求項１に記載の発明において、操作体の支点部およびケースまたはカバーの支持部を二ヶ所設け、これらの上下方向の間隙を一方は小さく他方は大きなものにすると共に、大きな間隙側の支点部近傍の操作体の下面にプッシュスイッチ部を操作する押圧部を設けたものであり、操作体を上下方向にプッシュ操作した際に、支持部との間隙が小さな支点部側を支点として大きな間隙側の支点部が傾倒し、この大きな間隙側近傍に設けた操作体の下面の押圧部がプッシュスイッチ部を押圧するため、押圧部が左右にぐらつかずほぼ垂直にプッシュスイッチ部を押圧して、プッシュスイッチ部の確実な動作と電気的接離を行うことができるという作用を有する。
【００２１】
請求項３に記載の発明は、請求項１または２に記載の発明において、ケースまたはカバーのばね保持部に、ばねの中間部と係合し脱落を防止する突部を設けたものであり、このばね保持部に設けた突部にばねの中間部を挟み込んで圧入保持し、ケースまたはカバーのばね保持部にばねを仮止めすることができるため、組み立て時のばねの脱落や変形を防止し、組み立てを容易なものとすることができるという作用を有する。
【００２２】
請求項４に記載の発明は、請求項１または２に記載の発明において、ばねに代えて、カバーを弾性金属薄板製とし舌片状の弾性部を一体に形成すると共に、この弾性部を操作体の下面およびケースまたはカバーのばね係止部にも弾接させたものであり、カバーと一体で形成した弾性部によって操作体を上方に付勢しているため、組み立てが容易になると共にばねが不要となって使用部品数を削減し安価なものにすることができるという作用を有する。
【００２３】
請求項５に記載の発明は、請求項１〜４のいずれか一つに記載の発明において、ケース上に構成されたプッシュスイッチ部に代えて、操作体の下方に単体のプッシュスイッチを配置したものであり、回路数や動作タイミング等の異なる様々な単体のプッシュスイッチを他の使用部品の変更を行うことなく装着できるため、多様なプッシュ操作機能を備えたプッシュ機能付回動操作型電子部品を容易に得ることができるという作用を有する。
【００２４】
以下、本発明の実施の形態について、スイッチを例にして図１〜図１１を用いて説明する。
【００２５】
なお、従来の技術の項で説明した構成と同一構成の部分には同一符号を付して、詳細な説明を省略する。
【００２６】
（実施の形態１）
図１は本発明の第１の実施の形態によるプッシュ機能付回動操作型スイッチの断面側面図、図２は同分解斜視図、図３は図１のＸ−Ｘ線における断面正面図、図４は同ばね装着部の断面側面図であり、同図において、２０は上面開口の箱型の絶縁樹脂製のケース、２Ａ，２Ｂ，２Ｃおよび２Ｄ，２Ｅはケース２０の内底面に植設された金属製の固定接点、３は弾性金属薄板製の接触片、２１は上面に凹状の係合部２１Ａを有しケース２０内に摺動可能に収納された絶縁樹脂製の摺動体、５は外周が固定接点２Ｅ上に載置された弾性金属薄板製のドーム状可動接点、６は下面に粘着材を塗布した絶縁フィルムで、接触片３は中央部が摺動体２１の下面に装着保持されやや撓んだ状態で両端の接点部がケース２０の内底面に弾接し、絶縁フィルム６はドーム状可動接点５の上面を覆い下面の粘着材によってケース２０に接着されている。
【００２７】
そして、２２はケース２０の上面を覆うカバー、２３は上面に操作部２３Ａを有する絶縁樹脂製の操作体で、操作体２３の両側下端に半円状に突出した支点部２３Ｂと２３Ｃが、ケース２０の両端に設けた支持部２０Ａと２０Ｂに回動およびこの回動方向と直交する方向へも上下動可能に挿入されると共に、この支点部２３Ｂ，２３Ｃと支持部２０Ａ，２０Ｂの上下方向の間隙は、支点部２３Ｂと支持部２０Ａの間は小さく、支点部２３Ｃと支持部２０Ｂの間は大きな間隙となっている。
【００２８】
また、操作体２３の中間部には先端が円形状となって突出した係合突部２３Ｄが設けられ、この係合突部２３Ｄがカバー２２の開口部から突出した摺動体２１の係合部２１Ａに挿入されると共に、大きな間隙で支持部２０Ｂに挿入された支点部２３Ｃ側近傍の操作体２３の下面にはドーム状可動接点５を操作する押圧部２３Ｅが設けられている。
【００２９】
そして、２４は中央のコイル部２４Ａの両端にアーム部２４Ｂと２４Ｃが設けられた弾性金属線製のばねで、コイル部２４Ａの下端がケース２０の内底面に当接し両側面がカバー２２のばね保持部２２Ａに挿入保持されると共に、アーム部２４Ｂと２４Ｃはやや撓んだ状態で、操作体２３の下面の左右に突出して設けたばね当接部２３Ｆと２３Ｇに弾接して操作体２３を上方に付勢すると同時に、カバー２２のばね係止部２２Ｂと２２Ｃ下面にも弾接している。
【００３０】
以上の構成において、操作体２３の上面の操作部２３Ａを、図１の中立位置から図５に示すように左方向へ押して回動操作すると、下端の支点部２３Ｂ，２３Ｃを支点として中間部の係合突部２３Ｄも操作部２３Ａと同じ左方向へ回動し、係合部２１Ａを係合突部２３Ｄに押された摺動体２１が左方向へ摺動するため、摺動体２１の下面に装着された接触片３の両端の接点部がケース２０内底面上を摺動し、固定接点２Ａと２Ｂに弾接することで、接触片３を介した固定接点２Ａと２Ｂとの電気的接続が行われる。
【００３１】
この時、操作体２３の回動に伴ってばね２４は、図４の中立位置から図６に示すように、アーム部２４Ｃが操作体２３のばね当接部２３Ｇから離れカバー２２のばね係止部２２Ｃの下面にのみ弾接し、一方、アーム部２４Ｂはカバー２２のばね係止部２２Ｂから離れ、操作体２３のばね当接部２３Ｆに押圧されて撓められていく。
【００３２】
そして、操作部２３Ａへの操作力を解除すると、操作体２３のばね当接部２３Ｆによって撓められたばね２４のアーム部２４Ｂの弾性復帰力によって、ばね当接部２３Ｆが押し戻されて操作体２３が回動し、係合突部２３Ｄに係合した摺動体２１も右方向へ摺動して、摺動体２１の下面に装着された接触片３の両端の接点部が固定接点２Ａと２Ｂから離れ、操作体２３が図１および図４の中立位置に復帰する。
【００３３】
これとは逆に、操作部２３Ａを図１および図４の中立位置から右方向へ回動した場合には、摺動体２１が右方向へ摺動して接触片３を介した固定接点２Ａと２Ｃの電気的接続が行われ、操作部２３Ａの操作力を解除すると、操作体２３のばね当接部２３Ｇによって撓められたばね２４のアーム部２４Ｃの弾性復帰力によって、操作体２３が図１および図４の中立位置に復帰する。
【００３４】
また、操作体２３の上面の操作部２３Ａを、図３の中立位置から回動方向と直交する下方向へプッシュ操作すると、図７（ａ）に示すように、操作体２３の支点部２３Ｂ，２３Ｃとケース２０の支持部２０Ａ，２０Ｂの上下方向の間隙は、支点部２３Ｂと支持部２０Ａの間は小さく、支点部２３Ｃと支持部２０Ｂの間は大きいため、間隙の小さな支点部２３Ｂ側を支点として操作体２３が傾倒し、支持部２０Ｂ内を支点部２３Ｃが下方へ移動して、この支点部２３Ｃの近傍下面の押圧部２３Ｅが、絶縁フィルム６を介してドーム状可動接点５の中央頂点部を押圧してドーム状可動接点５を反転させ、ドーム状可動接点５の中央部裏面が固定接点２Ｄに接触することによって、ドーム状可動接点５を介した固定接点２Ｄと２Ｅの電気的接続が行われる。
【００３５】
この時、操作体２３の傾倒に伴ってばね２４は、図４の中立位置から図７（ｂ）に示すように、アーム部２４Ｂと２４Ｃがカバー２２のばね係止部２２Ｂと２２Ｃの下面から離れ、操作体２３の下面のばね当接部２３Ｆと２３Ｇに押圧されて撓められていく。
【００３６】
そして、操作部２３Ａのプッシュ方向への操作力を解除すると、操作体２３のばね当接部２３Ｆと２３Ｇにより撓められたばね２４のアーム部２４Ｂと２４Ｃの弾性復帰力によって、ばね当接部２３Ｆと２３キが押し戻されて操作体２３が上方に移動し、操作体２３の下面の押圧部２３Ｅも上方に離れるためドーム状可動接点５が反転復帰して中央部裏面が固定接点２Ｄから離れ、操作体２３が図３および図４の中立位置に復帰するように構成されている。
【００３７】
このように本実施の形態によれば、操作体２３の下端の支点部２３Ｂ，２３Ｃに対し中間部に摺動体２１との係合突部２３Ｄ、上面に操作部２３Ａと各々を同方向に設け、下端の支点部２３Ｂ，２３Ｃを支点として操作体２３を回動させることによって、係合突部２３Ｄに対し操作部２３Ａが常に大きな回動量となるように構成されているため、操作体２３の高さを大きくすることなく、薄型で操作部２３Ａの回動操作量の大きなプッシュ機能付回動操作型スイッチを得ることができるものである。
【００３８】
また、操作体２３とケース２０に設けた二ヶ所の支点部２３Ｂ，２３Ｃと支持部２０Ａ，２０Ｂの上下方向の間隙を、支点部２３Ｂと支持部２０Ａの間は小さく、支点部２３Ｃと支持部２０Ｂの間は大きなものにすると共に、大きな間隙側の支点部２３Ｃ側近傍の操作体２３の下面に押圧部２３Ｅが設けられているため、操作体２３を下方向にプッシュ操作した際に、支持部２０Ａとの間隙が小さな支点部２３Ｂ側を支点として操作体２３が傾倒し、支点部２３Ｃ側の近傍下面に設けた押圧部２３Ｅが左右にぐらつかずほぼ垂直にドーム状可動接点５を押圧することによって、ドーム状可動接点５の確実な反転動作と電気的接離を行うことができる。
【００３９】
さらに、図８に示すように、カバー２２のばね保持部２２Ａにリブ２２Ｄと２２Ｅを設けると共に、この中央上端にばね２４のコイル部２４Ａの幅よりもやや狭くなるように突部２２Ｆと２２Ｇを設け、ここにばね２４のコイル部２４Ａを挟み込んでばね２４をカバー２２に圧入保持するように構成すれば、カバー２２のばね保持部２２Ａにばね２４を仮止めしてスイッチの組み立てを行うことができるため、組み立て時のばね２４の脱落や変形を防止し、組み立てが容易で安価なものとすることができる。
【００４０】
なお、以上の説明では、操作体２３を上方に付勢するばね２４を、中央にコイル部２４Ａを形成し、この両端にアーム部２４Ｂと２４Ｃを設けた弾性金属線製のばね２４として説明したが、弾性金属薄板の中央部を略Ｕ字状に折り曲げ、この両端に直線状のアーム部を設けた板ばねを用い、この板ばねの中央部をカバー２２のばね保持部２２Ａに挿入保持すると共に、両端のアーム部を操作体２３の下面のばね当接部２３Ｆと２３Ｇおよびカバー２２のばね係止部２２Ｂと２２Ｃの下面にも弾接させる構成としても、本発明の実施が可能なことは勿論である。
【００４１】
（実施の形態２）
図９は本発明の第２の実施の形態によるプッシュ機能付回動操作型スイッチの分解斜視図、図１０（ａ），（ｂ）は同断面正面図であり、同図において、操作体２３の両側下端の支点部２３Ｂと２３Ｃがケース３０の両端の支持部３０Ａと３０Ｂに回動およびこの回動方向と直交する方向へも上下動可能に挿入されていることや、ばね２４の両端のアーム部２４Ｂ，２４Ｃが操作体２３の下面のばね当接部２３Ｆ，２３Ｇおよびカバー２２の上面のばね係止部２２Ｂと２２Ｃにも弾接していることは実施の形態１の場合と同様であるが、操作体２３の下面にドーム状可動接点や絶縁フィルムに代えて、単体のプッシュスイッチ３１が配置され、支持部３０Ｂに挿入され上下方向の間隙が大きな支点部２３Ｃの近傍の操作体２３の下面に、押圧部２３Ｅが設けられている。
【００４２】
上記の構成において、操作体２３の上面の操作部２３Ａを回動操作すると、下端の支点部２３Ｂ，２３Ｃを支点とし操作体２３が回動し、係合部２１Ａに中間部の係合突部２３Ｄが挿入された摺動体２１が摺動して、摺動体２１の下面に装着された接触片３がケース３０の内底面に植設された固定接点２Ａ，２Ｂ，２Ｃと電気的接離を行うことは実施の形態１の場合と同様であるが、操作部２３Ａを図１０（ａ）の中立位置から回動方向と直交する下方向へプッシュ操作すると、図１０（ｂ）に示すように、ケース３０の支持部３０Ａとの上下方向の間隙が小さな支点部２３Ｂ側を支点として操作体２３が傾倒し、間隙の大きな支持部３０Ｂ内を支点部２３Ｃが下方へ移動して、この支点部２３Ｃの近傍下面の押圧部２３Ｅがプッシュスイッチ３１を押圧し、プッシュスイッチ３１の電気的接離が行われる。
【００４３】
この時、操作体２３の傾倒に伴ってばね２４のアーム部２４Ｂと２４Ｃが操作体２３の下面のばね当接部２３Ｆと２３Ｇに押圧されて撓められ、操作部２３Ａのプッシュ方向への操作力を解除すると、このばね２４のアーム部２４Ｂと２４Ｃの弾性復帰力によって、ばね当接部２３Ｆと２３Ｇが押し戻されて操作体２３が上方に移動し、操作体２３の下面の押圧部２３Ｅもプッシュスイッチ３１から離れることは実施の形態１の場合と同様である。
【００４４】
このように本実施の形態によれば、操作体２３の下方に単体のプッシュスイッチ３１を配置しているため、回路数や動作タイミング等の異なる様々な単体のプッシュスイッチを他の使用部品の変更を行うことなく装着し、多様なプッシュ機能を有するプッシュ機能付回動操作型スイッチを容易に得ることができる。
【００４５】
また、図１１に示すように、弾性金属線製のばねに代えて、カバー２２を弾性金属薄板製として、上面に二ヶ所の舌片状の弾性部３２Ａと３２Ｂを一体に形成すると共に、この弾性部３２Ａと３２Ｂを操作体２３の下面のばね当接部２３Ｆと２３Ｇおよびカバー２２のばね係止部２２Ｂ，２２Ｃにも弾接することによって、カバー２２と一体で形成した弾性部３２Ａと３２Ｂによって操作体２３を上方に付勢できるため、スイッチの組み立てが容易になると共に、ばねが不要となって使用部品数を削減し安価なものとすることができる。
【００４６】
なお、以上の説明では、ケース２０，３０に固定接点２Ａ，２Ｂ，２Ｃを植設し、操作体２３の回動によって、摺動体２１の下面に装着された接触片３を介して固定接点２Ａ，２Ｂ，２Ｃの電気的接離を行うスイッチを例として説明したが、ケース２０，３０の内底面にカーボン等の抵抗素子を形成し、この抵抗素子上を摺動体２１の下面に装着された接触片３が弾接して摺動することによって、操作体２３の回動に応じた抵抗出力を検出するスライド操作型の可変抵抗器や、その他の電子部品においても本発明の実施が可能なことは勿論である。
【００４７】
【発明の効果】
以上のように本発明によれば、操作体の支点部に対し操作部と係合部を同方向に設けることで、薄型で回動操作量の大きなプッシュ機能付回動操作型電子部品を得ることができるという有利な効果が得られる。
【図面の簡単な説明】
【図１】本発明の第１の実施の形態によるプッシュ機能付回動操作型スイッチの断面側面図
【図２】同分解斜視図
【図３】図１のＸ−Ｘ線における断面正面図
【図４】同ばね装着部の断面側面図
【図５】同断面図
【図６】同ばね装着部の断面側面図
【図７】（ａ）同断面正面図
（ｂ）同断面側面図
【図８】同カバーとばねの分解斜視図
【図９】本発明の第２の実施の形態によるプッシュ機能付回動操作型スイッチの分解斜視図
【図１０】（ａ），（ｂ）同断面正面図
【図１１】同カバーの斜視図
【図１２】従来のプッシュ機能付回動操作型スイッチの断面側面図
【図１３】図１２のＸ−Ｘ線における断面正面図
【図１４】同断面側面図
【図１５】（ａ）同断面正面図
（ｂ）同断面側面図
【図１６】同通信用携帯端末機器の斜視図
【符号の説明】
２Ａ，２Ｂ，２Ｃ，２Ｄ，２Ｅ  固定接点
３  接触片
５  ドーム状可動接点
６  絶縁フィルム
２０，３０  ケース
２０Ａ，２０Ｂ，３０Ａ，３０Ｂ  支持部
２１  摺動体
２１Ａ  係合部
２２  カバー
２２Ａ  ばね保持部
２２Ｂ，２２Ｃ  ばね係止部
２２Ｄ，２２Ｅ  リブ
２２Ｆ  ２２Ｇ  突部
２３  操作体
２３Ａ  操作部
２３Ｂ，２３Ｃ  支点部
２３Ｄ  係合突部
２３Ｅ  押圧部
２３Ｆ，２３Ｇ  ばね当接部
２４  ばね
２４Ａ  コイル部
２４Ｂ，２４Ｃ  アーム部
３１  プッシュスイッチ
３２Ａ，３２Ｂ  弾性部
【図１】
0003937526.tif 000002
【図２】
0003937526.tif 000003
【図３】
0003937526.tif 000004
【図４】
0003937526.tif 000005
【図５】
0003937526.tif 000006
【図６】
0003937526.tif 000007
【図７】
0003937526.tif 000008
【図８】
0003937526.tif 000009
【図９】
0003937526.tif 000010
【図１０】
0003937526.tif 000011
【図１１】
0003937526.tif 000012
【図１２】
0003937526.tif 000013
【図１３】
0003937526.tif 000014
【図１４】
0003937526.tif 000015
【図１５】
0003937526.tif 000016
【図１６】
0003937526.tif 000017